(57)【要約】【課題】異物混入リスクを低減できる包装体を提供する。【解決手段】二つ折りにされたときに互いに対向する第１対向部３１と第２対向部３２とを有する台紙部３０と、被収納物が収納された収納部を少なくとも一方が有し、第１対向部に配置された第１収納体４０、および第２対向部に配置された第２収納体５０と、組み合わされた第１収納体および第２収納体を含む二つ折りにされた台紙部を包装する封緘材１０とを備える。第１収納体は、第１収納体本体４１と、第１シール部４２とを有し、第２収納体は、第２収納体本体５１と、第２シール部５２とを有する。台紙部が二つ折りにされたときに、第１収納体本体と、第２収納体本体の少なくとも一方、第１シール部、第２シール部および封緘材で囲まれた空隙Ｋの少なくとも一部を遮蔽する遮蔽部４３ｄを有する。【選択図】図２
2018087037.tif 000002
【特許請求の範囲】
【請求項１】
二つ折り可能なシート状に形成され二つ折りにされたときに互いに対向する第１対向部と第２対向部とを有する台紙部と、
被収納物が収納された収納部を少なくとも一方が有し、前記台紙部が二つ折りにされて組み合わされたときに前記収納部を閉塞する、前記第１対向部に配置された第１収納体、および前記第２対向部に配置された第２収納体と、
組み合わされた前記第１収納体および前記第２収納体を含む二つ折りにされた前記台紙部を包装する封緘材とを備え、
前記第１収納体は、第１収納体本体と、前記第１収納体本体の周縁から外側にフランジ状に延設された第１シール部とを有し、
前記第２収納体は、第２収納体本体と、前記第２収納体本体の周縁から外側にフランジ状に延設された第２シール部とを有し、
前記台紙部が二つ折りにされたときに、前記第１収納体本体と前記第２収納体本体の少なくとも一方、前記第１シール部、前記第２シール部および前記封緘材で囲まれた空隙の少なくとも一部を遮蔽する遮蔽部を有することを特徴とする包装体。
【請求項２】
前記遮蔽部は、前記第１収納体本体と前記第２収納体本体の少なくとも一方に設けられていることを特徴とする請求項１記載の包装体。
【請求項３】
前記遮蔽部は、前記第１収納体本体と前記第２収納体本体の少なくとも一方の前記空隙に臨む壁面の一部が前記空隙に延出して形成されていることを特徴とする請求項２記載の包装体。
【請求項４】
前記第１収納体本体は、前記第２収納体本体と組み合わされたときに前記第２収納体本体の外周面に嵌合する内周面に囲まれた嵌合凹部を有し、
前記嵌合凹部の深さは、前記第２収納体本体の厚さよりも大きく形成され、
前記遮蔽部は、前記第１収納体本体の前記空隙に臨む壁面の一部が前記空隙に延出して形成されていることを特徴とする請求項３記載の包装体。
【請求項５】
前記封緘材は、開口部を有し、
前記遮蔽部は、前記開口部と連通する前記空隙に配置されていることを特徴とする請求項１から４のいずれか一項に記載の包装体。
【請求項６】
前記開口部は、所定方向に延びる前記封緘材の一端側に配置され、
前記遮蔽部は、前記空隙における前記一端側の端部に配置されていることを特徴とする請求項５記載の包装体。
【発明の詳細な説明】
【技術分野】
【０００１】
本発明は、包装体に関するものである。
【背景技術】
【０００２】
一般的に、二つ折りの包装体は、化粧品や家電など様々な製品の包装として使用されている。二つ折りの包装体は、例えば、紙やシート状のプラスチックフィルム等で形成され表表紙部、裏表紙部、背表紙部に相当する３つの領域を有する台紙部と、台紙部の表表紙部および裏表紙部に設けられ、背表紙部をヒンジ部として二つ折りされて組み合わされたときに収納空間を形成する、ブリスター成形体、プラスチック部材、紙器、及び厚紙を打ち抜いたもの等で形成された収納体とを有している（例えば、特許文献１参照）。
【０００３】
二つ折り包装体の表表紙部、裏表紙部にブリスター成形体等の立体物を貼付する場合、例えば、収納体の周囲に延設されたフランジ状のシール部を台紙部に熱シールする。その後、台紙部および収納体（シール部）を所定の外形形状に一括的に切断（裁断）した後に、二つ折りして表表紙部および裏表紙部に設けた収納体同士を組み合わせた状態で筒状のシュリンクフィルムやストレッチフィルム等の封緘材で封緘されて包装体が製造される。
【先行技術文献】
【特許文献】
【０００４】
【特許文献１】特表２０１２−５１１４８２号公報
【発明の概要】
【発明が解決しようとする課題】
【０００５】
しかしながら、上述したような従来の包装体では、収納体の周囲にフランジ状のシール部が配置されるため、収納体の外側側部と台紙部の外縁部との間には隙間が形成される。封緘材は、最も外側に位置する台紙部に沿って封緘するため、台紙部が二つ折りされた状態で封緘材に封緘された包装体には、収納体外側側部、表表紙部、裏表紙部および封緘材で囲まれた空隙が外周に沿った周回形状で形成されてしまう。また、シュリンクフィルム等の封緘材には、例えば、両端に開口部が形成されるため、当該開口部を介して上記の空隙に異物の差し込みが可能になってしまう。
【０００６】
今後、上記の包装体を食品や医薬品分野の包装に広く用いる場合、包装体として異物の差し込みを防ぐ対策が求められている。
【０００７】
本発明は、以上のような点を考慮してなされたもので、異物混入リスクを低減できる包装体を提供することを目的とする。
【課題を解決するための手段】
【０００８】
本発明の第１の態様に従えば、二つ折り可能なシート状に形成され二つ折りにされたときに互いに対向する第１対向部と第２対向部とを有する台紙部と、被収納物が収納された収納部を少なくとも一方が有し、前記台紙部が二つ折りにされて組み合わされたときに前記収納部を閉塞する、前記第１対向部に配置された第１収納体、および前記第２対向部に配置された第２収納体と、組み合わされた前記第１収納体および前記第２収納体を含む二つ折りにされた前記台紙部を包装する封緘材とを備え、前記第１収納体は、第１収納体本体と、前記第１収納体本体の周縁から外側にフランジ状に延設された第１シール部とを有し、前記第２収納体は、第２収納体本体と、前記第２収納体本体の周縁から外側にフランジ状に延設された第２シール部とを有し、前記台紙部が二つ折りにされたときに、前記第１収納体本体と前記第２収納体本体の少なくとも一方、前記第１シール部、前記第２シール部および前記封緘材で囲まれた空隙の少なくとも一部を遮蔽する遮蔽部を有することを特徴とする包装体が提供される。
【発明の効果】
【０００９】
本発明では、異物混入リスクを低減できる包装体を提供することが可能になる。
【図面の簡単な説明】
【００１０】
【図１】第１実施形態に係る包装体１の平面図である。
【図２】図１におけるＡ−Ａ線視断面図である。
【図３】台紙部３０を二つ折り状態から展開した収納体２０の平面図である。
【図４】図３におけるＢ−Ｂ線視断面図である。
【図５】第２実施形態に係る収納体２０を展開した平面図である。
【図６】台紙部３０を二つ折り状態にした収納体２０の正面図（一部断面図）である。
【図７】本実施形態に係る変形例の収納体２０を展開した平面図である。
【図８】本実施形態に係る変形例の収納体２０を展開した平面図である。
【図９】本実施形態に係る変形例の収納体２０の平面図である。
【発明を実施するための形態】
【００１１】
以下、本発明の包装体の実施の形態を、図１ないし図９を参照して説明する。
なお、以下の実施形態は、本発明の一態様を示すものであり、この発明を限定するものではなく、本発明の技術的思想の範囲内で任意に変更可能である。また、以下の図面においては、各構成をわかりやすくするために、実際の構造と各構造における縮尺や数等を異ならせている。
【００１２】
［第１実施形態］
図１は、第１実施形態に係る包装体１の平面図であり、図２は、図１におけるＡ−Ａ線視断面図である。
図１に示されるように、包装体１は、シュリンクフィルム（封緘材）１０と、シュリンクフィルム１０に包装された平面視略矩形状の収納体２０とを備えている。
【００１３】
シュリンクフィルム１０は、一例として、収納体２０の長手方向（以下、単に長手方向と称する）に延びる筒状に形成されており、熱風等により加熱されることによりシュリンク（収縮）して、長手方向の両端に開口部１１を形成した状態で収納体２０を外周側から包装する。
【００１４】
シュリンクフィルム１０としては、種々のフィルムを使用でき、例えばポリエチレン（ＰＥ）やポリプロピレン（ＰＰ）等のポリオレフィン系、ポリエチレンテレフタレート（ＰＥＴ）やポリブチレンテレフタレート（ＰＢＴ）等のポリエステル系、ポリスチレン系（ＰＳ）、並びにポリ乳酸（ＰＬＡ）、ポリアミド、およびポリ塩化ビニル等の樹脂からなるフィルムが使用できる。これらの中でも適切な収縮応力と高い透明性を有することからポリエステル系、ポリ乳酸系、ポリスチレン系のフィルムが好ましく、特にポリエステル系フィルムが好ましい。また、これらの樹脂を二種以上混合した樹脂混合物を含むフィルムを用いることもでき、二種以上のフィルムを積層した積層フィルムを用いることもできる。また、主として周方向に収縮する一軸延伸フィルムを使用できるが、軸線方向にも収縮する二軸延伸フィルムであってもよい。
【００１５】
収納体２０は、台紙部３０、第１収納体４０および第２収納体５０を備えている。
台紙部３０は、二つ折り可能なシート状に形成され、図２に示したように、二つ折りにされたときに互いに対向する裏表紙部（第１対向部）３１および表表紙部（第２対向部）３２と、裏表紙部３１および表表紙部３２を連結するヒンジ部として機能する背表紙部３３とを有している。
【００１６】
図３は、台紙部３０（収納体２０）を二つ折り状態から展開した収納体２０の平面図である。図４は、図３におけるＢ−Ｂ線視断面図である。
図３に示すように、裏表紙部３１および表表紙部３２は、平面視で隅部が円弧形状で丸められた矩形状で互いに略同一形状に形成されている。裏表紙部３１および表表紙部３２は、互いに対向する長辺において背表紙部３３により連結されている。裏表紙部３１および表表紙部３２が並ぶ方向の背表紙部３３の幅は、台紙部３０を二つ折りにした際に組み合わされた第１収納体４０および第２収納体５０の厚さと略同一に形成されている。裏表紙部３１および表表紙部３２の長辺が延びる方向の背表紙部３３の長さは、裏表紙部３１および表表紙部３２よりも短く形成されている。
【００１７】
裏表紙部３１は、周縁に沿って第１シール領域３１Ａを有している。第１シール領域３１Ａは、第１収納体４０が熱圧着等によってシールされた領域である。表表紙部３２は、周縁に沿って第２シール領域３２Ａを有している。第２シール領域３２Ａは、第２収納体５０が熱圧着等によってシールされた領域である。
【００１８】
台紙部３０を構成する材料は特には限定されないが、例えば各種の樹脂製シートや紙材をシート基材とするシートを用いることができる。シート基材が紙材である場合、例えば、紙のみからなる厚紙や、紙製シートに各種樹脂をコーティング又は樹脂製シートや蒸着シートを張り合わせた合成紙等が一例として挙げられ、その厚さは、例えば０．２〜２ｍｍ程度、特に０．３〜１．５ｍｍ程度が好ましい。
【００１９】
第１収納体４０は、板状の樹脂材を、例えば、真空成形によりブリスターケース状に立体的に成形したものであり、第１収納体本体４１と第１シール部４２とを有している。第１収納体本体４１は、裏表紙部３１の周縁から所定距離内側の位置に全周に亘って配置された平面視ロ字状に形成された収納壁部４３と、収納壁部４３の内周面４３ａおよび底壁部４３ｂに囲まれて形成された収納空間（収納部）４４とを有している。
【００２０】
収納壁部４３は、長辺に沿った長辺部４３Ｌと短辺に沿った短辺部４３Ｓとを含む。長辺部４３Ｌと短辺部４３Ｓとの交差部には、収納壁部４３の外周面（壁面）４３ｃから裏表紙部３１の隅部に延びる突部（遮蔽部）４３ｄが設けられている。突部４３ｄは、裏表紙部３１の隅部における円弧部よりも大きな曲率を有する円弧形状に形成され、裏表紙部３１の円弧部にほぼ接している。すなわち、突部４３ｄは、長辺部４３Ｌおよび短辺部４３Ｓの双方において、外周面４３ｃと裏表紙部３１の周縁との間に配置される第１シール領域３１Ａ上の空間の一部（より詳細には両端部）を遮蔽している。
【００２１】
第１シール部４２は、収納壁部４３における外周面４３ｃの周縁から外側に、裏表紙部３１の周縁と同一位置までフランジ状に延設されている。第１シール部４２は、台紙部３０の第１シール領域３１Ａにシールされている。また、第１シール部４２は、周方向で隣り合う突部４３ｄの周縁同士を接続している。
【００２２】
第２収納体５０は、板状の樹脂材を、例えば、真空成形によりブリスターケース状に立体的に成形したものであり、第２収納体本体５１と第２シール部５２とを有している。第２収納体本体５１は、表表紙部３２の周縁から所定距離内側の位置に全周に亘って配置された平面視ロ字状に形成された収納壁部５３と、収納壁部５３の内周面５３ａおよび底壁部５３ｂに囲まれて形成された収納空間（収納部）５４とを有している。
【００２３】
収納壁部５３は、外周面５３ｃにおいて、第１収納体４０における収納壁部４３の内周面４３ａに嵌合する。本実施形態における第１収納体４０（第１収納体本体４１）および第２収納体５０（第２収納体本体５１）が組み合わされるとは、収納壁部５３における外周面５３ｃが収納壁部４３における内周面４３ａに嵌合した状態である。収納壁部５３の高さは、第１収納体４０における収納空間４４の深さよりも低い。従って、第１収納体４０および第２収納体５０が組み合わされた際には、第２収納体５０における収納壁部５３と第１収納体４０における底壁部４３ｂとの間に空間が形成された状態で収納空間４４が閉塞される。
【００２４】
第１収納体４０および第２収納体５０としては、種々の樹脂材を使用できる。第１収納体４０および第２収納体５０を形成する樹脂材としては、例えば、ポリエチレンテレフタラート(PET) 、ポリ塩化ビニル(PVC) 、ポリスチレン(PS)等を用いることができる。
【００２５】
なお、一例として、収納壁部５３における外周面５３ｃには係合凸部が設けられ、収納壁部４３における内周面４３ａには係合凹部が設けられ、第１収納体４０および第２収納体５０が組み合わされた際に係合凸部と係合凹部とが係合することにより、第１収納体４０および第２収納体５０が組み合わされた状態が保持される。
【００２６】
上記の収納体２０は、開いた状態の台紙部３０に対して、裏表紙部３１の表面に第１収納体４０を貼付するとともに、表表紙部３２の表面に第２収納体５０を貼付する。裏表紙部３１の表面に第１収納体４０を貼付する際には、第１収納体４０の第１シール部４２を裏表紙部３１の第１シール領域３１Ａに圧着する。表表紙部３２の表面に第２収納体５０を貼付する際には、第２収納体５０の第２シール部５２を表表紙部３２の第２シール領域３２Ａに圧着する。第１収納体４０および第２収納体５０が貼付された台紙部３０に対しては、外周部を一括的に切断して、図３に示す外形輪郭に成形する。
【００２７】
作製された収納体２０を用いて上記構成の包装体１を作製する際には、まず、第１収納体４０の収納空間４４に被収納物Ｓ１を収納し、第２収納体５０の収納空間５４に被収納物Ｓ２を収納した後に、図２に示すように、台紙部３０を二つ折りにして第２収納体５０における収納壁部５３を第１収納体４０における収納壁部４３に嵌合させて第１収納体本体４１と第２収納体本体５１とを組み合わせる。これにより、被収納物Ｓ１、Ｓ２が収納された収納空間４４、５４が閉塞された状態の収納体２０が組み立てられる。また、収納壁部５３における係合凸部と収納壁部４３における係合凹部とが係合することにより、第１収納体４０および第２収納体５０が組み合わされた状態が保持される。
【００２８】
収納体２０が作製されると、筒状のシュリンクフィルム１０の内部に収納体２０を挿入し、熱風等により加熱することによりシュリンクフィルム１０をシュリンクさせる。これにより、収納体２０は、図１に示したように、長手方向の両端に開口部１１を形成された状態で外周側からシュリンクフィルム１０に包装される。
【００２９】
収納体２０がシュリンクフィルム１０に包装された包装体１においては、図２における部分断面図等に示されるように、幅方向の端部には、収納壁部４３の外周面４３ｃ、第１シール部４２、第２シール部５２およびシュリンクフィルム１０で囲まれた空隙Ｋが形成されている。空隙Ｋは、図１に示すように、包装体１の幅方向の両側に長手方向に延びてそれぞれ形成されている。また、空隙Ｋの長手方向の延長線上には、シュリンクフィルム１０の開口部１１が位置するが、開口部１１と空隙Ｋとの間に突部４３ｄが配置されて空隙Ｋを遮蔽している。そのため、開口部１１と空隙Ｋとは連通せず、開口部１１を介して空隙Ｋへの異物の差し込みを阻止できる。
【００３０】
また、本実施形態の包装体１においては、突部４３ｄが長手方向に延びる空隙Ｋと、幅方向に延びる空隙Ｋとの交差部に配置されているため、シュリンクフィルム１０の開口部１１が長手方向の端部ではなく、幅方向の端部に形成されている場合でも、空隙（この場合は、長手方向の端部に配置され短辺部４３Ｓに沿って延びる空隙）への異物の差し込みを阻止できる。
【００３１】
また、本実施形態の包装体１においては、台紙部３０を二つ折りした際に、第２収納体５０の収納壁部５３が第１収納体４０の収納空間４４に収容されるため、空隙Ｋには第１収納体４０における収納壁部４３の外周面４３ｃのみが臨むことになる。従って、本実施形態の包装体１においては、開口部１１を介して空隙Ｋへの異物の差し込みを阻止する突部を第１収納体４０のみに設ければよく、第２収納体５０に設ける必要がなくなる。
【００３２】
［第２実施形態］
次に、包装体１の第２実施形態について、図５および図６を参照して説明する。
これらの図において、図１乃至図４に示す第１実施形態の構成要素と同一の要素については同一符号を付し、その説明を省略する。
【００３３】
上記第１実施形態では、第２収納体５０の収納壁部５３が第１収納体４０の収納空間４４に収容される構成を例示したが、第２実施形態では、第２収納体５０の収納壁部５３と第１収納体４０の収納壁部４３とが対向方向で重なる構成について説明する。
【００３４】
図５は、台紙部３０（収納体２０）を二つ折り状態から展開した第２実施形態に係る収納体２０の平面図である。図６は、台紙部３０を二つ折り状態にした収納体２０の正面図（一部断面図）である。
【００３５】
図５および図６に示すように、第２収納体５０における収納壁部５３の外周面５３ｃの外形形状は、第１収納体４０における収納壁部４３の外周面４３ｃの外形形状と略同一である。また、収納壁部５３は、二つ折り状態で収納空間４４に向けて突出する嵌合凸部５５を有している。嵌合凸部５５の内周面５５ａは、収納壁部５３の内周面５３ａと面一に形成されている。嵌合凸部５５の外周面５５ｃは、収納壁部４３の内周面４３ａに嵌合する。嵌合凸部５５の高さは、第１収納体４０における収納空間４４の深さよりも低い。
【００３６】
従って、第１収納体４０および第２収納体５０が組み合わされた際には、嵌合凸部５５の外周面５５ｃが収納壁部４３の内周面４３ａに嵌合した状態で、第１収納体４０における収納壁部４３と第２収納体５０における収納壁部５３とが対向して当接し収納空間４４、５４が閉塞される。
【００３７】
収納壁部５３は、長辺に沿った長辺部５３Ｌと短辺に沿った短辺部５３Ｓとを含む。長辺部５３Ｌと短辺部５３Ｓとの交差部には、収納壁部５３の外周面（壁面）５３ｃから表表紙部３２の隅部に延びる突部（遮蔽部）５３ｄが設けられている。突部５３ｄは、表表紙部３２の隅部における円弧部よりも大きな曲率を有する円弧形状に形成され、表表紙部３２の円弧部にほぼ接している。すなわち、突部５３ｄは、長辺部５３Ｌおよび短辺部５３Ｓの双方において、外周面５３ｃと表表紙部３２の周縁との間に配置される第２シール領域３２Ａ上の空間の一部（より詳細には両端部）を収納壁部５３の高さで遮蔽している。
【００３８】
一方、突部４３ｄは、長辺部４３Ｌおよび短辺部４３Ｓの双方において、外周面４３ｃと裏表紙部３１の周縁との間に配置される第１シール領域３１Ａ上の空間の一部（より詳細には両端部）を収納壁部４３の高さで遮蔽している。そして、突部４３ｄと、突部５３ｄとは、台紙部３０が二つ折りされた状態で互いに対向する。
【００３９】
従って、本実施形態における包装体１においては、上記第１実施形態の包装体１と同様の作用・効果が得られることに加えて、収納壁部５３の外形形状が大きくなるため、収納空間５４が大きくなり収納性を高められるとともに、二つ折りに係る開閉操作時に収納壁部５３の外周面５３ｃに指を当てることができるため操作性を向上させることが可能になる。
【００４０】
以上、添付図面を参照しながら本発明に係る好適な実施形態について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【００４１】
例えば、上記実施形態では、シュリンクフィルム１０の開口部１１が長手方向に延びる空隙Ｋの延長線上、あるいは幅方向に延びる空隙Ｋの延長線上のいずれに配置されていても対応可能なように、突部４３ｄおよび突部５３ｄが長手方向に延びる空隙Ｋと、幅方向に延びる空隙Ｋとの交差部に配置される構成を例示したが、この構成に限定されるものではない。例えば、シュリンクフィルム１０の開口部１１が、長手方向に延びる空隙Ｋの延長線上に配置されることが固定されている場合には、図７に示されるように、長辺部４３Ｌにおける長手方向の両端部から幅方向に突出して、長手方向に延びる空隙Ｋのみを遮蔽する位置に突部４３ｄおよび突部５３ｄを配置する構成としてもよい。
【００４２】
また、上記実施形態では、長辺部４３Ｌまたは短辺部４３Ｓの端部に突部４３ｄあるいは突部５３ｄを配置する構成を例示したが、この構成に限定されず、例えば、図８に示されるように、長辺部４３Ｌにおける端部よりも内側に突部４３ｄあるいは突部５３ｄを配置する構成としてもよい。
【００４３】
また、上記実施形態では、二つ折りされた収納体２０が直方体形状である構成を例示したが、例えば、図９に簡略的に示すように、平面視略シェル状等、平面視矩形状以外の収納体２０についても適用可能である。図９に示す収納体２０は、幅方向両側の外形輪郭がそれぞれ略円弧形状に形成されており、収納壁部４３、５３および空隙Ｋも外形輪郭に沿った略円弧形状に形成されている。そして、シュリンクフィルム１０の開口部１１と連通する空隙Ｋの一部を遮蔽する突部４３ｄ、５３ｄを設けることにより、平面視矩形状以外の収納体２０についても開口部１１を介して空隙Ｋへの異物の差し込みを阻止できる。
【００４４】
また、上記実施形態では、空隙Ｋに対して、空隙Ｋの一部を遮蔽する突部４３ｄ、５３ｄを二箇所に配置する構成を例示したが、三箇所以上配置する構成や一箇所に配置する構成であってもよい。突部４３ｄ、５３ｄを一箇所に配置する構成を採る場合には、例えば、空隙Ｋの中央に突部４３ｄ、５３ｄを配置することにより、長手方向の両側の開口部１１のいずれからも空隙Ｋへの異物の差し込みを抑制することができる。
【００４５】
上記実施形態における収納空間４４、５４に収納される被収納物としては、一例として、アルミ箔あるいはセロファンに低密度ポリエチレンなどの熱可塑性高分子フィルムを二枚重ねたラミネートフィルム（シート）でＳＰ包装（strip package）、あるいは、プラスチックとアルミ箔で挟まれたシート状にＰＴＰ包装（press through pack）された散剤や顆粒剤、錠剤等を例示できる。
【符号の説明】
【００４６】
１…包装体、  １０…シュリンクフィルム（封緘材）、  １１…開口部、  ２０…収納体、  ３０…台紙部、  ３１…裏表紙部（第１対向部）、  ３１Ａ…第１シール領域、  ３２…表表紙部（第２対向部）、  ３２Ａ…第２シール領域、  ４０…第１収納体、  ４１…第１収納体本体、  ４２…第１シール部、  ４３ａ…内周面、  ４３ｃ…外周面（壁面）、  ４３ｄ…突部（遮蔽部）、  ４４、５４…収納空間（収納部、嵌合凹部）、  ５０…第２収納体、  ５１…第２収納体本体、  ５２…第２シール部、  ５３ｃ…外周面、  Ｓ１、Ｓ２…被収納物
【図１】
2018087037.tif 000003
【図２】
2018087037.tif 000004
【図３】
2018087037.tif 000005
【図４】
2018087037.tif 000006
【図５】
2018087037.tif 000007
【図６】
2018087037.tif 000008
【図７】
2018087037.tif 000009
【図８】
2018087037.tif 000010
【図９】
2018087037.tif 000011